(57)【要約】【課題】輸送物を、簡単かつ容易に、しかも能率よく速やかに積層する。積層する状態で安定して吊り下げて移動し、しかも簡単に能率よく取り出しする。【解決手段】コンテナバックは、四角形の底シート１と、この底シート１の４辺に連結してなる４枚の開閉シート２と、開閉シート２と底シート１の外側面に固定している吊下紐３とを備える。開閉シート２は、互いに隣接する開閉シート２の側縁を、脱着連結具４で脱着自在に連結できる構造としている。吊下紐３は、底シート１の外側面に井桁状に固定すると共に、底シート１から開閉シート２の外側面に延長して固定し、さらに開閉シート２から突出する部分を、隣接する開閉シート２の吊下紐３とループ状に連結している。コンテナバックは、隣接する開閉シート２を脱着連結具４で連結して上方開口の四角筒状とし、隣接する開閉シート２からループ状に突出している吊下紐３で吊り下げて移送する。【選択図】図２
2005162229.tif 000002
【特許請求の範囲】
【請求項１】
可撓性シートからなる四角形の底シート(1)と、この底シート(1)の４辺に連結してなる可撓性シートからなる４枚の開閉シート(2)と、開閉シート(2)と底シート(1)の外側面に固定している吊下紐(3)とを備えており、
開閉シート(2)は、両側の側縁部分に、脱着自在に連結できる脱着連結具(4)を設けて、互いに隣接する開閉シート(2)の側縁を脱着できるように連結できる構造としており、
吊下紐(3)は、底シート(1)の外側面に、四角形の底シート(1)の外周縁と平行ないしほぼ平行となる井桁状に固定されると共に、底シート(1)から開閉シート(2)の外側面に延長して固定され、さらに、開閉シート(2)から外周縁に突出する部分は、隣接する開閉シート(2)の互いに接近する部分に固定している吊下紐(3)とループ状に連結しており、
脱着連結具(4)で隣接する開閉シート(2)を連結して、底シート(1)と開閉シート(2)とで、上方を開口して底面を底シート(1)で閉塞してなる四角筒状に連結し、隣接する開閉シート(2)からループ状に突出している吊下紐(3)で吊り下げて移送するようにしてなるコンテナバック。
【請求項２】
吊下紐(3)が複数条の紐体(7)を互いに離して底シート(1)と開閉シート(2)とに連結して、開閉シート(2)の外側でループ状に連結している請求項１に記載されるコンテナバック。
【請求項３】
吊下紐(3)が複数列の紐体(7)を互いに平行に底シート(1)と開閉シート(2)とに連結して、開閉シート(2)の外側でループ状に連結している請求項１に記載されるコンテナバック。
【請求項４】
脱着連結具(4)が、表面に無数の係止具を設けている脱着テープである請求項１に記載されるコンテナバック。
【請求項５】
脱着連結具(4)が連結紐である請求項１に記載されるコンテナバック。
【発明の詳細な説明】
【技術分野】
【０００１】
本発明は、パレットに代わって使用できるコンテナバックに関する。
【背景技術】
【０００２】
現在、物の運搬に木製のパレットが使用される。パレットは、フォークリフトの爪を挿入できる隙間を設けた板状に木材で製作される。この構造のパレットは、上に物を積み重ね、フォークリフトの爪を隙間に入れて持ち上げて運搬している。しかしながら、パレットは、使用後の処理に手間がかかる欠点がある。パレットは、輸送元からユーザーに物を運搬した後、輸送元に返送するのに手間と費用がかかる欠点がある。大きくて重いために返送コストが高くなるからである。輸送元に返送されないパレットは、廃棄するのにさらに手間と費用がかかる欠点がある。さらにまた、パレットは１０〜１５ｋｇと重いので、物と一緒に輸送されて輸送コストを高くする欠点もある。
【０００３】
輸送後に小さく折り畳みできるコンテナとして、可撓性シートを上方の開口された袋状にして、吊り下げ用の紐を連結しているコンテナバックが開発されている。（特許文献１〜２参照）
【特許文献１】特開２００２−２４０８８５号公報
【特許文献２】特開２００１−１８０７８７号公報
【発明の開示】
【発明が解決しようとする課題】
【０００４】
図１に示す可撓性シートのコンテナバックは、主として粉粒体の輸送に使用される。上方を開口して底を閉塞しているコンテナバックは、粉粒体を充填して輸送できる。しかしながら、この構造のコンテナバックは、パレットで輸送できるものの輸送には便利に使用できない。それは、上方を開口する袋状に縫製しているので、粉粒体を能率よく充填できても、パレットの上に積層して運搬される物、たとえば箱詰めしたものや袋詰めした物を内部で揃えて積層するが極めて難しいからである。また、仮に手数をかけて物をコンテナバックの内部に積層しても、積層した物が崩れないように安定して吊り下げて輸送するのが難しい欠点もある。それは、図１に示すように、袋１１の四隅に紐１２を連結して、紐１２の上端をループ状に連結しているからである。コンテナバックは、同一平面に複数個の物を縦横に並べて積層する状態で四隅を吊り下げると、底面が湾曲されて荷崩れしてしまう。荷崩れすると、コンテナバックから物を取り出しできなくなる。さらにまた、荷崩れしなくとも、コンテナバックからの物の取り出しには極めて手間がかかる欠点がある。
【０００５】
本発明は、この欠点を解決することを目的に開発されたものである。本発明の重要な目的は、パレットに積層して輸送できる物を、簡単かつ容易に、しかも能率よく速やかに積層できると共に、積層する状態で安定して吊り下げして移動でき、さらに、取り出しも簡単に能率よくできるコンテナバックを提供することにある。
【課題を解決するための手段】
【０００６】
本発明のコンテナバックは、可撓性シートからなる四角形の底シート１と、この底シート１の４辺に連結してなる可撓性シートからなる４枚の開閉シート２と、開閉シート２と底シート１の外側面に固定している吊下紐３とを備える。開閉シート２は、両側の側縁部分に、脱着自在に連結できる脱着連結具４を設けて、互いに隣接する開閉シート２の側縁を脱着できるように連結できる構造としている。吊下紐３は、底シート１の外側面に、四角形の底シート１の外周縁と平行ないしほぼ平行となる井桁状に固定されると共に、底シート１から開閉シート２の外側面に延長して固定され、さらに、開閉シート２から外周縁に突出する部分は、隣接する開閉シート２の互いに接近する部分に固定している吊下紐３とループ状に連結している。このコンテナバックは、脱着連結具４で隣接する開閉シート２を連結して、底シート１と開閉シート２とで、上方を開口して底面を底シート１で閉塞してなる四角筒状に連結し、隣接する開閉シート２からループ状に突出している吊下紐３で吊り下げて移送する。
【０００７】
吊下紐３は、複数条の紐体７を互いに離して底シート１と開閉シート２とに連結して、開閉シート２の外側でループ状に連結することができる。吊下紐３は、複数列の紐体７を互いに平行に底シート１と開閉シート２とに連結して、開閉シート２の外側でループ状に連結することができる。脱着連結具４は、表面に無数の係止具を設けている脱着テープとすることも、連結紐とすることもできる。
【発明の効果】
【０００８】
本発明のコンテナバックは、輸送物を、簡単かつ容易に、しかも能率よく速やかに積層できると共に、積層する状態で安定して吊り下げして移動でき、さらに、取り出しも簡単に能率よくできる特長がある。それは、本発明のコンテナバックが、四角形の底シートの４辺に連結した４枚の開閉シートを、脱着連結具を介して互いに連結して上方開口の四角筒状にできる構造とすると共に、開閉シートと底シートの外側面に吊下紐を固定して、隣接する開閉シートからループ状に突出している吊下紐で吊り下げて移送するからである。この構造のコンテナバックは、互いに隣接する開閉シートの側縁を連結しない状態では、４枚の開閉シートを展開した状態にできるので、能率よく速やかに底シートに輸送物を積層できる。さらに、底シートに輸送物を積層した状態で、互いに隣接する開閉シートの側縁を連結して、底シートと４枚の開閉シートで四角筒状とすることができるので、積層された輸送物の側面を開閉シートで保持して、荷崩れを防止しながら安定して吊り下げできる。さらにまた、輸送物を取り出すときには、互いに隣接する開閉シートの側縁を分離して、４枚の開閉シートを展開した状態にできるので、能率よく速やかに輸送物を取り出しできる。
【０００９】
さらに、本発明のコンテナバックは、底シートの外側面に吊下紐を井桁状に固定して、底シートから開閉シートの外側面に延長すると共に、隣接する開閉シートから外周縁に突出する吊下紐をループ状に連結しているので、安定して吊り下げして移動できる特長がある。それは、従来のコンテナバックのように、袋の四隅を紐で吊り下げるのではなく、井桁状に固定された吊下紐で底シートを吊り下げるからである。この構造は、底シートの下面に井桁状に固定している縦横の複数列の吊下紐で底シートの全面を均一に支持すると共に、四角形の底シートの四隅ではなく４辺の中間部分を吊り下げるので、底シートが湾曲されて積層された輸送物が荷崩れするのを有効に防止しながら安定して吊り下げできる。
【００１０】
さらにまた、本発明のコンテナバックは、底シートと開閉シートを可撓性シートとしているので、全体の重量を軽量にできると共に、使用後にはコンパクトに折り畳んで運搬できる特長もある。したがって、輸送物をユーザーに運搬した後、コンテナバックを輸送元に返送する輸送コストを低減できる。
【発明を実施するための最良の形態】
【００１１】
以下、本発明の実施例を図面に基づいて説明する。ただし、以下に示す実施例は、本発明の技術思想を具体化するためのコンテナバックを例示するものであって、本発明はコンテナバックを以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図２の展開図に示すコンテナバックは、可撓性シートからなる四角形の底シート１と、この底シート１の４辺に連結してなる可撓性シートからなる４枚の開閉シート２と、開閉シート２と底シート１の外側面に固定している吊下紐３とを備えている。
【００１４】
底シート１と開閉シート２は、１枚の可撓性シートを裁断して製作され、あるいは４枚の開閉シート２を底シート１の周囲に縫いつけて連結し、接続して連結して製作される。可撓性シートは、編み組みした繊維で補強されたプラスチックシートが使用される。ただ、可撓性シートは、帆布やテント等に使用される強靭なシートも使用できる。底シート１は、図３と図４に示すように、複数の輸送物８を縦横に並べて積層できる大きさの四角形である。図の輸送物８は、粉粒体を充填している袋である。この底シート１は、輸送物８である袋を、縦×横に、あるいは横×縦に、３×２個並べることができる大きき、すなわち同一平面に並べられる１段の積層個数が、６個となる大きさとしている。この状態で使用される底シート１は、１辺の長さを１〜２ｍとしている。ただし、本発明のコンテナバックは、底シートの大きさを特定しない。底シートは、たとえば５０ｃｍ〜３ｍとすることもできる。図の底シート１は、可撓性シートを正方形としている。このコンテナバックは、水平形状を長方形とする輸送物８を縦横に交差する梱包例である図２の斜視図に示すように、上に積層する輸送物８を、隣接する積層段で縦横に交差する方向に並べて荷崩れしないように積層できる。ただし、本発明のコンテナバックは、底シートを正方形に特定しない。底シートは長方形とすることもできる。
【００１５】
さらに、本発明のコンテナバックは、同一平面に並べる輸送物の個数を６個に特定しない。１段に並べる輸送物の個数は、たとえば、４ないし１２個とすることもできる。すなわち、本発明のコンテナバックは、底シートの形状と大きさ、さらには、積層される輸送物の形状と大きさに応じて、１段に並べる輸送物の個数を種々に変更することができる。さらに、本発明のコンテナバックは、同一平面に並べる輸送物の個数に応じて、縦横に並べる配列を種々に変更することもできる。たとえば、４個の輸送物を並べるときには２×２個に配列し、８個を配列するときには２×４個に配列することができる。また、必ずしも縦列や横列に並ぶ輸送物の個数を等しくする必要はなく、たとえば、５個の輸送物を並べるときには、一方の列に横向きに３個を並べ、他方の列に縦向きに２個を並べることもできる。すなわち、本発明のコンテナバックは、複数の輸送物を均等に並べる配列であれば、どのような配列とすることもできる。
【００１６】
開閉シート２は、横幅を底シート１の１辺の長さとし、縦幅をコンテナバックの高さとしている。図の開閉シート２は、縦幅を横幅の１／２としている。開閉シート２の縦幅は、横幅の１／４〜２倍とすることができる。開閉シート２の縦幅を広くすると、輸送物８を多段に積層して安定して輸送できる。それは、開閉シート２で囲まれる内側に輸送物８を積層できるからである。図のコンテナバックは、４枚の開閉シート２を同じ縦幅としている。ただし、本発明のコンテナバックは、４枚の開閉シートを多少は高さが異なるようにすることもできる。
【００１７】
開閉シート２は、輸送物８を底シート１の上に積層して搬入し、また底シート１から取り出すときは、図２の展開図に示すように、平面状に広げられる。輸送物８を底シート１に積層し、吊り下げて移送するときは、図３に示すように、開閉シート２の両側縁部を互いに連結して、上方を開口して、底を底シート１で閉塞する角筒状とする。すなわち、開閉シート２は、互いの両側縁部を脱着できるように連結できる構造としている。このことを実現するために、開閉シート２は、両側の側縁部分に、脱着自在に連結できる脱着連結具４を設けている。この脱着連結具４が、互いに隣接する開閉シート２の側縁を脱着できるように連結する。脱着連結具４は、表面に無数の係止具を設けている脱着テープ、たとえばマジックテープ（登録商標）である。
【００１８】
脱着テープで連結される開閉シート２は、簡単に、しかもしっかりと外れないように連結できる特長がある。ただ、開閉シートの脱着連結具には、ボタン、ファスナー、フック、連結紐等も使用できる。図のコンテナバックは、開閉シート２の両側縁部に沿って、下端から上端まで脱着連結具４を固定している。ただ、脱着連結具は、開閉シートの両側縁部に部分的に設けることもできる。
【００１９】
図２のコンテナバックは、開閉シート２の側縁部を互いにラップさせて連結するために、互いに連結される開閉シート２の一方の側縁にラップ部５を設けている。ラップ部５は、隣接する開閉シート２の側縁との間に切込み６を設けて、連結している開閉シート２に対して直角に折曲できる構造としている。この構造のコンテナバックは、ラップ部５を隣接する開閉シート２の表面に積層して、幅の広い領域でしっかりと連結できる。ラップ部５は、脱着テープで積層して連結され、あるいは、ボタンやフックや連結紐で連結される。ファスナーやフックや連結紐は、ラップ部を設けることなく、開閉シートの両側縁部を脱着できるように連結することもできる。
【００２０】
図５は、脱着連結具４を連結紐とする一例を示している。連結紐である脱着連結具４は、互いに連結される一対の連結片４ａを有し、各連結片４ａの一端を互いに連結される開閉シート２の側縁部の対向する位置に逢着して固定している。対向する開閉シート２に固定された連結片４ａは、互いに結着されて開閉シート２を連結する。連結紐である脱着連結具４は、連結片４ａ同士を固く結ぶことによって、移送中に開閉シート２の連結状態が解除されて荷崩れするのを確実に防止できる。さらに、開閉シート２を連結紐で連結する構造は、連結紐を強く引っ張って結着することによって、コンテナバックの遊びを解消できる特長もある。このため、種々の形状や大きさの輸送物を梱包する場合においても、輸送物の誤差を吸収しながら梱包して、荷崩れを有効に防止できる特長がある。さらに、本発明のコンテナバックは、脱着連結具として、脱着テープと連結紐の両方を設けることもできる。
【００２１】
吊下紐３は、１本の連続する紐である。吊下紐３は、底シート１と開閉シート２の外側面に固定される。底シート１の外側面に固定される吊下紐３は、図２の展開図に示すように、四角形の底シート１の外周縁と平行ないしほぼ平行となる井桁状に固定される。井桁状の吊下紐３は、縦横に交差して２列に伸びるように固定される。図のコンテナバックは、底シート１の側縁と吊下紐３との間隔を、底シート１の全横幅の約１／４としている。このコンテナバックは、図３に示すように、底シート１の１段に３×２個の輸送物８を積層して、輸送物８を水平に保持して吊り下げできる特長がある。底シート１の下面に井桁状に固定している縦横２列の吊下紐３が、底シート１の全面を均一に支持できるからである。
【００２２】
さらに、吊下紐３は、底シート１から開閉シート２の外側面に延長して固定される。開閉シート２に固定される吊下紐３は、開閉シート２と底シート１との境界に対して直交する方向、いいかえると、開閉シート２の両側縁と平行に固定される。ただ、吊下紐は、開閉シートの両側縁に対して多少傾斜する姿勢で固定することもできるのは言うまでもない。吊下紐３は、縫いつけて、あるいは接着して、あるいはまた、縫いつけと接着の両方で底シート１と開閉シート２に固定される。吊下紐３は、所定の幅のバンド状のものが適している。底シート１を幅の広い領域で支持できるからである。ただし、吊下紐は、バンド状ではなくて、ロープのようなものも使用できる。
【００２３】
さらに、吊下紐３は、開閉シート２から外周縁に突出する部分をループ状に連結している。吊下紐３は、隣接する開閉シート２の互いに接近する部分に固定している吊下紐３同士をループ状に連結している。この構造のコンテナバックは、隣接する開閉シート２を脱着連結具４で連結して、底シート１と開閉シート２とで、上方を開口して底面を底シート１で閉塞してなる四角筒状に連結した状態で、隣接する開閉シート２からループ状に突出している吊下紐３を吊り下げて移送される。このように、隣接する開閉シート２に固定された吊下紐３をループ状に連結する構造は、このループ部分で吊り下げるときに、四角形の底シート１の四隅ではなく、４辺の中間部分を吊り下げるので、底シート１が湾曲されるのを防止して、積層された輸送物が荷崩れするのを有効に防止しながら安定して吊り下げできる。
【００２４】
さらに、本発明のコンテナバックは、図６の展開図に示すように、複数条の紐体７を互いに平行に底シート１と開閉シート２とに連結して、開閉シート２の外側でループ状に連結することもできる。この構造は、大きな底シート１を吊下紐３で確実に支持できる。図のコンテナバックは、１列の吊下紐３を２条の紐体７で構成している。ただ、吊下紐は、１列を３条以上の紐体で構成することもできる。図のコンテナバックは、底シート１の半分の領域を２条の紐体７からなる１列の吊下紐３で吊り下げるので、紐体７の間隔が、底シート１の幅の半分の約１／３となるように配列する。このコンテナバックは、２条の紐体７で底シート１をバランスよく吊り下げできる。このため、底シート１に積層している輸送物を、水平な姿勢に保持して安定して吊り下げできる。
【００２５】
本発明のコンテナバックは以下のようにして使用する。
［コンテナバックで輸送物を梱包する工程］
(1)  互いに隣接する開閉シート２の側縁を連結しない状態として、コンテナバックを図２に示すように展開する。
(2)  平面状に展開された底シート１の上面に輸送物８を載せる。長方形の袋である輸送物８は、図３と図４に示すように、複数個を縦横に並べて複数段に積層する。複数段に積層される輸送物８は、図に示すように、隣接する積層段で縦横に交差する方向に並べて荷崩れしないように積層する。
(3)  底シート１に輸送物８を積層した後、４枚の開閉シート２を垂直の姿勢に折曲する。
(4)  互いに隣接する開閉シート２の側縁を脱着連結具４で連結して、底シート１と４枚の開閉シート２で四角筒状とする。この状態で、積層された輸送物８は、底面が底シート１で、側面が開閉シート２で保持される。
【００２６】
［コンテナバックを吊り下げて移送する工程］
(1)  輸送物８が積層されて四角筒状に成形されたコンテナバックは、図３に示すように、上方に吊下紐３のループ部分が突出する。このループ部分に、フォークリフトのフォークを挿入し、あるいはクレーンのフックを連結して、吊下紐３のループ部分を持ち上げてコンテナバックを吊り下げる。
このとき、コンテナバックは、底シート１の下面に井桁状に固定している縦横の複数列の吊下紐３で底シート１の全面が均一に支持されると共に、四角形の底シート１の四隅ではなく４辺の中間部分が吊り下げられるので、積層された輸送物８を荷崩れさせることなく安定して吊り下げられる。
(2)  吊り下げられたコンテナバックを、輸送手段によって所定の位置まで移送する。
【００２７】
［コンテナバックから輸送物を取り出す工程］
(1)  吊り下げ状態で移送されたコンテナバックを所定の位置に降下させる。
(2)  互いに隣接する開閉シート２を連結している脱着連結具４を外して４枚の開閉シート２を展開する。
(3)  展開されたコンテナバックから輸送物８を取り出す。このとき、コンテナバックは、平面状に展開されているので、能率よく速やかに輸送物８を取り出しできる。
(4)  全ての輸送物８が取り出されたコンテナバックは、コンパクトに折り畳んで輸送元に返送される。
【図面の簡単な説明】
【００２８】
【図１】従来のコンテナバックの一例を示す斜視図である。
【図２】本発明の一実施例にかかるコンテナバックの展開図である。
【図３】図２に示すコンテナバックの使用状態を示す斜視図である。
【図４】図３に示すコンテナバックの平面図である。
【図５】脱着連結具の他の一例を示す正面図である。
【図６】本発明の他の実施例にかかるコンテナバックの展開図である。
【符号の説明】
【００２９】
１…底シート
２…開閉シート
３…吊下紐
４…脱着連結具          ４ａ…連結片
５…ラップ部
６…切込み
７…紐体
８…輸送物
１１…袋
１２…紐
【図１】
2005162229.tif 000003
【図２】
2005162229.tif 000004
【図３】
2005162229.tif 000005
【図４】
2005162229.tif 000006
【図５】
2005162229.tif 000007
【図６】
2005162229.tif 000008